(57)【特許請求の範囲】
【請求項１】
イメージセンサと、前記イメージセンサを取り付けるイメージセンサ取付板と、前記イメージセンサ取付板に取り付けられたローラと、前記イメージセンサ取付板の回転軸と、前記回転軸で結合されたガイド板および軸受取付板と、タッチパネルと、前記イメージセンサを前記タッチパネルガラス面に押し当てるため前記取付部から直角に曲げられたＬ型の板バネと、軸受と、シャフトと、モータと、減速ギアと、前記モータおよび前記減速ギアを取り付けるためのモータ取付板と、駆動ベルトと、テンションプーリと、前記ガイド板の前記ローラが走行するためのガイドレールと、これらの駆動メカニズムを取り付けるメカシャーシと、前記イメージセンサの下部に位置する表示装置と、前記表示装置を取り付ける底板とから構成しており、前記表示装置をまたぐように、前記イメージセンサを位置させ、駆動するための前記駆動ベルトや前記シャフト、前記軸受は表示装置の外、製品の片側に構成するとともに、前記板バネを使って前記イメージセンサを前記ガラス面方向に押し上げ、前記ガラス面に前記ローラを接触させることにより、前記ガラス面と一定距離を保ちながら低摩擦力でスムーズに移動することのできる、表示装置付きの薄型イメージセンサ駆動装置。
【発明の詳細な説明】
【０００１】
【発明の属する技術分野】
本発明は、無人契約機などに使用するもので、タッチパネルまたは透明ガラスと、表示装置との間にイメージセンサを走らせて、画像データや文書データを読みとらせ、その読みとりデータやパソコンの表示内容を表示装置に表示させる、表示装置付きのイメージセンサ駆動装置に関する。
【０００２】
【従来の技術】
従来、透明ガラスの下で、イメージセンサを一定距離に保ちながら移動させるパーソナルコピー機があるが、製品の中央に配置したベースの上に、イメージセンサをコイルバネでタッチパネルまたはガラス面に向けて押し上げて保持し、駆動ベルトも製品の中央にかけて移動させていた。
【０００３】
あるいは、イメージセンサの読みとり方法として、光源を移動させて原稿に光を当て、受光装置に反射光を集めて、読みとりデータを集める方法がとられていた。
【０００４】
【発明が解決しようとする課題】
このイメージセンサ駆動装置においては、極めて厚さの薄いイメージセンサブロックが要求されている。また表示装置の表示部分を、駆動メカニズムが部分的に覆い隠す事がないことを要求されている。
単なるコピーマシンやイメージセンサを使った入力装置であれば、駆動メカニズムは製品の中央にあっても問題はないが、タッチパネルまたは透明ガラスと、表示装置の間にイメージセンサを走らせるために、駆動メカニズムが製品の中央にあると、表示装置の表示が常に部分的にメカニズムに隠されてしまい、表示装置として使用できないという問題がある。
【０００５】
また、イメージセンサ部分が厚いと、タッチパネルと表示装置との距離が離れてしまうため、表示装置を斜めから見た場合、タッチパネルを触れた場所と、表示位置の視差が大きくなるという問題がある。
【０００６】
【課題を解決するための手段】
この課題を解決するために本発明は、Ｌ型の板バネを使用して、イメージセンサを両端から、タッチパネルガラス面方向に押しつけしかも厚みを極力抑え、タッチパネルガラス面のうねりが多少あっても、正確にタッチパネルガラス面と一定距離を保って追随できる、回転軸を持つ構造にすることにより、さらに薄型のイメージセンサ及びイメージセンサ保持構造を構成する。
【０００７】
また軸受、シャフト及び駆動ベルトといった駆動メカニズムを、表示装置の表示部分以外の、製品の片側に配置することにより、表示装置の両側に駆動メカニズムを配置するよりも安価に構成することができる。
【０００８】
【発明の実施の形態】
本発明の請求項１に記載の発明は、上記問題点を解決するために、駆動メカニズムを表示装置の表示部分以外の、製品の片側に位置させることにより、イメージセンサで読みとりをさせない時は、表示装置の表示画面全体を覆わないので、表示装置として使うことができる。
【０００９】
イメージセンサのガイドとなる軸受とシャフトおよび駆動ベルトを、イメージセンサの片側に配置するため、イメージセンサの両側に駆動メカニズムを持つものに比べ、安価に目的を達成するという作用を有する。
またイメージセンサをタッチパネルガラス面にローラを接触させて移動できる、薄型のメカニズムにしたことにより、表示装置を斜めから見た場合に、タッチパネルにさわった位置と、表示装置の表示位置との視差を少なくするという作用を有する。
【００１０】
以下、本発明の実施の形態について、図１から図４を用いて説明する。
（実施の形態１）
図１は上記実施例を具体化した平面図であり、図２および図３は要部の側面断面図であり、図４は平面図の左の部分である。
【００１１】
【実施例】
次に、本発明のイメージセンサ駆動装置の一実施例を、図面と共に具体的に説明する。
（実施例１）
１はイメージセンサであり、タッチパネル２と表示装置３の間を走行する。イメージセンサ１はイメージセンサ取付板４に固定され、そのイメージセンサ取付板４にはローラ５が回転できるように取り付けられており、イメージセンサ１とタッチパネル２の隙間の分だけ、イメージセンサ１よりもローラ５を飛び出して取り付けてある。
【００１２】
イメージセンサ取付板４の回転軸穴４ａには、板バネ６をはさんで軸受取付板７を回転軸８で固定されており、回転軸穴４ａを中心に回転できるようになっている。またもう片方のイメージセンサ取付板４の回転軸穴４ｂには、板バネ９をはさんでガイド板１０を回転軸８で固定されており、回転軸穴４ｂを中心に回転できるようになっている。
【００１３】
ガイド板１０にもローラ５が２個回転できるように取り付けられており、ガイドレール１１の上を低摩擦で走行できるようになっている。板バネ６および９はそれぞれ取付部から直角に曲げられたＬ型となっており、タッチパネル２の面にローラ５を押しつけるように、板バネ６および９の力が働く。軸受取付板７には軸受１２が軸受押さえ１３で固定されており、シャフト１４を軸受１２に貫通してタッチパネル２の下を、一定距離を保ちながらイメージセンサ１の組立が走行する。
【００１４】
イメージセンサ１のブロックを移動させるために、軸受押さえ１３と軸受取付板７で駆動ベルト１５を固定し、その駆動ベルト１５の両端にはテンションプーリ１６と減速ギア１７を配置し、減速ギア１７は減速ギア１８を介してモータ１９のピニオンギアに噛み合っている。駆動メカニズムを取り付けるメカシャーシ２０に、モータ１９を取り付けたモータ取付板２１を固定してある。
【００１５】
表示装置３は底板２２に固定されており、極力薄型にしたイメージセンサ１のブロックの下に配置されている
以上の構成により、タッチパネル２にできる限り近づいた所にある表示装置３との間を走行する、イメージセンサ駆動装置を提供することができる。
なお、以上の説明ではタッチパネル２で説明したが、タッチパネルの代わりに透明ガラスでも同様に実施可能である。
【００１６】
【発明の効果】
以上のように本発明によれば、駆動メカニズムを表示装置の表示部分以外の、製品の片側に位置させることにより、イメージセンサで読みとりをさせない時は、表示装置の表示画面を全く覆わないので表示装置として使うことができるという有利な効果が得られる。
【００１７】
また表示装置の両側に駆動メカニズムを持つものに比べ、安価に表示装置と入力装置の複合周辺機器の目的を達成できる。
またイメージセンサをタッチパネルガラス面にローラを接触させて移動できる、薄型のイメージセンサの構造にしたことにより、斜めから表示装置を見た場合に、タッチパネルにさわった位置と、表示装置の表示位置との間に発生する視差を少なくすることができるという有利な効果が得られる。
【図面の簡単な説明】
【図１】本発明の一実施の形態によるイメージセンサ駆動装置を示す平面図
【図２】本発明の一実施の形態によるイメージセンサ駆動装置の要部の正面断面図
【図３】本発明の一実施の形態によるイメージセンサ駆動装置の要部の側面断面図
【図４】本発明の一実施の形態によるイメージセンサ駆動装置の左部分を示す平面図
【符号の説明】
１  イメージセンサ
２  タッチパネルまたは透明ガラス
３  表示装置
４  イメージセンサ取付板
４ａ、４ｂ  回転軸穴
５  ローラ
６  板バネ
７  軸受取付板
８  回転軸
９  板バネ
１０  ガイド板
１１  ガイドレール
１２  軸受
１３  軸受押さえ板
１４  シャフト
１５  駆動ベルト
１６  テンションプーリ
１７  減速ギア
１８  減速ギア
１９  モータ
２０  メカシャーシ
２１  モータ取付板
２２  底板
【図１】
0003608292.tif 000002
【図２】
0003608292.tif 000003
【図３】
0003608292.tif 000004
【図４】
0003608292.tif 000005